(57)【特許請求の範囲】
【請求項１】
アクリル酸又はメタクリル酸を、ルテニウム又はその化合物を含む触媒の存在下で、液相にて直鎖二量化させることを特徴とするブテン−１，４−ジカルボン酸類の製造方法。
【請求項２】
溶媒として水、アルコール又はアミドを用いる請求項１に記載のブテン−１，４−ジカルボン酸類の製造方法。
【請求項３】
反応系にホスフィン化合物を添加する請求項１又は２に記載のブテン−１，４−ジカルボン酸類の製造方法。
【発明の詳細な説明】
【０００１】
【産業上の利用分野】
本発明はブテン−１，４−ジカルボン酸類を製造する方法に関するものである。この化合物は水素化により有用なポリマー原料であるアジピン酸に誘導される価値ある中間原料である。
【０００２】
【従来の技術】
官能基を有するオレフィン化合物を触媒の存在下で二量化させる反応は、２つの官能基をもつ縮合性モノマーの合成方法として利用価値が高い。アクリル酸エステル、メタクリル酸エステル、アクリロニトリル、アクロレインなどの共役した電子吸引基を有するオレフィン類の直鎖二量化に関しては、Ｐｄ、Ｒｕ、Ｒｈ、Ｎｉなどの化合物を触媒に用いる液相での報告が多くなされている（特開昭６３−１７８４５号公報、特開昭６４−６８３４０号公報、特開昭６０−９７９３４号公報、米国特許第４５０４６７４号、Ｊ．  Ｏｒｇ．  Ｃｈｅｍ．，  ｖｏｌ．  ４８，  ５３６４  （１９８３）、Ｊ．  Ａｍｅｒ．  Ｃｈｅｍ．  Ｓｏｃ．，ｖｏｌ．  ８７，  ５６３８  （１９６５）など参照）。
触媒を用いた方法ではないが、アクリル酸又はメタクリル酸の直鎖二量化としては電解二量化による方法が知られているが、低効率のため高コストとなり、実用的ではない。
【０００３】
【発明が解決しようとする課題】
しかし、触媒を用いたアクリル酸又はメタクリル酸（以下、（メタ）アクリル酸という）の直鎖二量化に関する報告は殆どみられない。その主な原因として、（メタ）アクリル酸がフリーのカルボン酸基を有するため、触媒金属に対する配位が炭素炭素二重結合でなくカルボン酸基でなされるために、望むべき触媒作用が発揮されにくいことや、（メタ）アクリル酸のカルボン酸基が（メタ）アクリル酸の炭素炭素二重結合部に熱的に付加しやすいことなどが考えられる。
【０００４】
触媒を用いた方法により（メタ）アクリル酸を直鎖二量化してブテン−１，４−ジカルボン酸類を製造する方法は、望まれながらも困難なものであった。アクリル酸エステル又はメタクリル酸エステルと（メタ）アクリル酸とは上記のように触媒反応における反応機構が異なるため、アクリル酸エステル又はメタクリル酸エステルの直鎖二量化で用いられている触媒をそのまま（メタ）アクリル酸の直鎖二量化触媒に適用することはできない。事実、アクリル酸エステル又はメタクリル酸エステルの直鎖二量化に関してはＰｄ、Ｒｕ、Ｒｈ、Ｎｉなどの化合物が触媒として有効に作用するにもかかわらず、（メタ）アクリル酸の直鎖二量化に関してはＰｄやＲｈなどの化合物は殆ど触媒作用を示さない。
本発明は有効な触媒を見つけることによって（メタ）アクリル酸を直鎖二量化してブテン−１，４−ジカルボン酸類を製造する方法を提供することを目的とするものである。
【０００５】
【課題を解決するための手段】
（メタ）アクリル酸を原料とし、種々の化合物を触媒として適用したところ、ＰｄやＲｈなどの化合物は触媒作用を示さないが、Ｒｕ（ルテニウム）とその化合物が（メタ）アクリル酸の直鎖二量化反応に有効に作用することを見出した。すなわち、本発明は、（メタ）アクリル酸を、Ｒｕ又はその化合物を含む触媒の存在下で、液相にて直鎖二量化させることによりブテン−１，４−ジカルボン酸類を製造する。アクリル酸を原料とした場合、生成するブテン−１，４−ジカルボン酸類は１−ブテン−１，４−ジカルボン酸と２−ブテン−１，４−ジカルボン酸を含み、メタクリル酸を原料とした場合、生成するブテン−１，４−ジカルボン酸類は１，４−ジメチル−１−ブテン−１，４−ジカルボン酸と１，４−ジメチル−２−ブテン−１，４−ジカルボン酸を含む。
【０００６】
この直鎖二量化反応は溶媒の存在下でも溶媒のない状態でも進行する。溶媒を使用する場合は、溶媒としては水、アルコール又はアミドが好ましい。溶媒の添加は、直鎖２量化反応を促進させると同時に、主な副反応物であるダイマー酸（３−アクリロイルオキシプロオン酸）の生成を抑制する効果がある。特に、水やアルコールなどの弱いプロトン性溶媒や、Ｎ−メチルピロリドンやジメチルホルムアミドなどのカルボアミド系溶媒が、直鎖２量化反応をよく促進させるため、好ましい結果を与える。
【０００７】
反応系にホスフィン化合物を添加すると、ホスフィン化合物は触媒としてのルテニウムイオンに配位し、（メタ）アクリル酸のカルボン酸基がルテニウムに配位するのを阻止してルテニウムの触媒作用を活性化する。
反応系の雰囲気は特に限定されず、窒素、水素、アルゴン、二酸化炭素などが使用できる。圧力は大気圧から数気圧までの範囲で反応を行なわせることができる。
【０００８】
【実施例】
以下、実施例によって本発明をさらに詳細に説明する。
（実施例１）
１００ｍｌのオートクレーブに原料のアクリル酸１０ｇ、触媒としての塩化ルテニウム３水和物（ＲｕＣｌ３・３Ｈ２Ｏ）０．２ｇ、添加剤としてのトリフェニルホスフィン０．２ｇ、溶媒としてのアミドであるＮ−メチルピロリドン１０ｇ、重合禁止剤としてのハイドロキノン０．０５ｇを仕込み、雰囲気を窒素で置換した後、１２０℃に昇温し、３時間撹拌して反応させた。冷却後、内容物をガスクロマトグラフィーにて分析したところ、アクリル酸の転化率が４５％であり、アクリル酸直鎖二量体（１−ブテン−１，４−ジカルボン酸及び２−ブテン−１，４−ジカルボン酸の混合物）が選択率５８％で得られた。他の生成物としては、主にダイマー酸（２−アクリロイルオキシプロピオン酸）が選択率３１％、ラクトン類が選択率１１％で得られた。結果を表１に示す。
【０００９】
ここで、（メタ）アクリル酸の転化率と生成物の選択率は次のように定義する。
アクリル酸を原料とした場合：
アクリル酸の転化率（％）＝消費されたアクリル酸（モル数）×１００／原料アクリル酸（モル数）
生成物の選択率（％）＝その生成物（モル数）×２×１００／消費されたアクリル酸（モル数）
メタクリル酸を原料とした場合も同様である。
【００１０】
（実施例２）
実施例１において、触媒として塩化ルテニウム３水和物の代わりに酢酸ルテニウム０．２ｇを用い、他は実施例１と同じ条件で同じ操作を行なったところ、表１に示す結果を得た。
【００１１】
（実施例３）
実施例１において、触媒として塩化ルテニウム３水和物の代わりに活性炭担持のルテニウム金属触媒１．０ｇを用い、他は実施例１と同じ条件で同じ操作を行なったところ、表１に示す結果を得た。
（実施例４）
実施例１において、反応条件として反応温度を下げて１００℃とした他は実施例１と同じ条件で同じ操作を行なって表１に示す結果を得た。
【００１２】
（実施例５）
実施例１において、溶媒を使用せず、他は実施例１と同じ条件で同じ操作を行なって表１に示す結果を得た。
（実施例６）
実施例１において、添加剤のトリフェニルホスフィンを使用せず、他は実施例１と同じ条件で同じ操作を行なって表１に示す結果を得た。
【００１３】
（実施例７）
実施例１において、添加剤のトリフェニルホスフィンの代わりにトリ−ｎ−ブチルホスフィン０．２ｇを使用し、他は実施例１と同じ条件で同じ操作を行なって表１に示す結果を得た。
（実施例８）
実施例１において、溶媒としてＮ−メチルピロリドンの代わりに水１０ｇを使用し、他は実施例１と同じ条件で同じ操作を行なって表１に示す結果を得た。
【００１４】
（実施例９）
実施例１において、溶媒としてＮ−メチルピロリドンの代わりにイソプロピルアルコール１０ｇを使用し、他は実施例１と同じ条件で同じ操作を行なって表１に示す結果を得た。
（実施例１０）
実施例１において、溶媒としてＮ−メチルピロリドンの代わりにｔ−ブチルアルコール１０ｇを使用し、他は実施例１と同じ条件で同じ操作を行なって表１に示す結果を得た。
【００１５】
（比較例１）
実施例１において、触媒を使用せず、他は実施例１と同じ条件で同じ操作を行なって反応を行なわせたところ、表１に示されるように直鎖二量体であるブテン−１，４−ジカルボン酸類は全く得られなかった。
【００１６】
（比較例２）
触媒として、Ｊ．  Ｏｒｇ．  Ｃｈｅｍ．  ｖｏｌ．  ４８，  ５３６４  （１９８３）  にアクリル酸エステルの２量化に有効な触媒として記載されている触媒  ［Ｐｄ（ＣＨ３ＣＮ）４］（ＢＦ４）２，  ＬｉＢＦ４を使用した。ガラス製フラスコに  ［Ｐｄ（ＣＨ３ＣＮ）４］（ＢＦ４）２  ０．２ｇ，  ＬｉＢＦ４  １．０ｇ、アクリル酸１０ｇ、ハイドロキノン０．０２ｇを仕込み、４０℃で１５時間撹拌して反応させた。生成物を分析したところ、アクリル酸の転化率は１４．３％であったが、直鎖２量体の生成は全く認められず、ダイマー酸が生成しているのみ（ダイマー酸の選択率１００％）であった。
【００１７】
（比較例３）
触媒として、Ｊ．  Ａｍｅｒ．  Ｃｈｅｍ．  Ｓｏｃ．，  ｖｏｌ．  ８７，  ５６３８  （１９６５）  にアクリル酸エステルの２量化に有効な触媒として記載されている触媒  ＲｈＣｌ３・３水和物を使用した。１００ｍｌのオートクレーブに  ＲｈＣｌ３・３水和物０．３ｇ、アクリル酸１０ｇ、ハイドロキノン０．２ｇ、メタノール１０ｇを仕込み、１４０℃で１０時間撹拌して反応させた。生成物を分析したところ、直鎖２量体の生成は全く認められず、アクリル酸転化率８５．１％、アクリル酸メチルが選択率７２．２％、ダイマー酸が選択率２０．５％で得られた。
【００１８】
【表１】
0003617551.tif 000002
【００１９】
【発明の効果】
本発明に従ってＲｕ又はＲｕ化合物を触媒に用いて液相で（メタ）アクリル酸を反応させることにより、（メタ）アクリル酸が直鎖二量化した有用なポリマー中間原料であるブテン−１，４−ジカルボン酸類が効率よく簡便に得られた。